(57)【特許請求の範囲】
【請求項１】
光電子放出材と、該光電子放出材に紫外線を照射する紫外線源とを有する光電子放出装置において、該紫外線源に光電子放出材と光触媒とを付加して一体化したことを特徴とする光電子放出装置。
【請求項２】
前記紫外線源が、殺菌ランプであることを特徴とする請求項１に記載の光電子放出装置。
【請求項３】
前記光電子放出装置は、電場設定用の導電性物質を有することを特徴とする請求項１又は２記載の光電子放出装置。
【請求項４】
請求項１、２又は３記載の光電子放出装置を用いて放出させた光電子により、空間中の粒子状物質を荷電させることを特徴とする粒子状物質の荷電方法。
【請求項５】
前記粒子状物質の荷電は、電場下で行うことを特徴とする請求項４記載の粒子状物質の荷電方法。
【請求項６】
請求項４又は５記載の粒子状物質の荷電方法により、荷電した空間中の粒子状物質を、捕集・除去することを特徴とする空間の清浄化方法。
【発明の詳細な説明】
【０００１】
【産業上の利用分野】
本発明は、光電子放出装置に係り、特に、光電子放出材に紫外線を照射して光電子を放出させる光電子放出装置とその装置を用いた粒子状物質の荷電方法及び、該荷電した粒子状物質を、空間中で、捕集・除去する清浄化方法、濃度や粒径の測定方法、分離・分級方法に関する。
【０００２】
【従来の技術】
光電子放出材に、紫外線を照射することにより発生する光電子や、該光電子による微粒子の荷電及びその利用については、本発明者の多数の提案であり、次の通りである。
１）本発明者らが気体清浄化関係において提案したものの内、本発明と特に関連性を有するものは、
特公平３−５８５９号、特公平６−３４９４１号、特公平６−７４９０９号、特公平６−７４９１０号、特公平７−１２１３６９号、特公平８−２１１号、特公平８−１０６１６号、特公平８−２２３９３号各公報
２）測定関係において提案したものは、
特公平６−２５７３１号、特開平２−４７５３６号各公報
３）分離・分級関係において提案したものは、
特開平３−４２０５７号公報
４）荷電条件や光電子放出材関係において提案したものは、
特願平２−３０３５５７号、特公平６−７４９０８号公報、特公平７−９３０９８号公報、特許番号第２５９８７３０号明細書等がある。
【０００３】
次に、従来の光電子放出材を用いる装置の改善点について、空気清浄器を例に説明する。
従来の光電子放出は、紫外線源（紫外線ランプ）と光電子放出材を個別に設置して用いていた。すなわち、紫外線源と光電子放出材が離れて設置されていたので、利用分野、装置によっては改善の余地があった。
図１３は、空気清浄器を示している。空気清浄器は、紫外線ランプ１、紫外線透過窓２、光電子放出材３、電場設定のための電極４、荷電微粒子捕集材５により構成されている。微粒子を含有する空気６が空気清浄器に入ると空気６中の微粒子は、紫外線照射を受けた光電子放出材３から放出される光電子７により荷電され、荷電微粒子捕集材５にて捕集され、出口８では清浄空気となる。
【０００４】
ところで、上記の様に、光電子放出材を紫外線ランプに対して遠方（装置の反対面）に設置した場合、光電子放出材表面への紫外線照射量が大幅に低下し、エネルギ利用の点で改善の余地が生じた。また、装置設計における自由度が欠ける問題点が生じた。
また、処理空気の条件によっては、空気中の不純物（例えば炭化水素）が光電子放出材に付着し、長時間運転により、性能低下をもたらし、改善の余地があった。
【０００５】
【発明が解決しようとする課題】
本発明は、上記従来技術の改善点に鑑み、紫外線エネルギーが有効利用でき、長時間安定な運転ができる光電子放出装置と、粒子状物質の荷電を効果的に行うことができる粒子状物質の荷電方法を提供することを課題とする。
【０００６】
【課題を解決するための手段】
上記課題を解決するために、本発明は、光電子放出材と、該光電子放出材に紫外線を照射する紫外線源とを有する光電子放出装置において、該紫外線源に光電子放出材と光触媒とを付加して一体化することとしたものである。
前記光電子放出装置は、紫外線源が、殺菌ランプであり、電場設定用の導電性物質を有するのが良い。
また、本発明では前記光電子放出装置を用いて放出させた光電子により、空間中の粒子状物質を荷電させることを特徴とする粒子状物質の荷電方法としたものであり、前記粒子状物質の荷電は、電場下で行うのが良い。
さらに、本発明では、前記粒子状物質の荷電方法により、荷電した空間中の粒子状物質を、捕集・除去する空間の清浄化方法、捕集して濃度・粒径を測定する空間中の粒子状物質の測定方法、及び、分離・分級する空間中の粒子状物質の分離・分級方法としたものである。
【０００７】
【発明の実施の形態】
本発明は、次の３つの知見に基づいてなされたものである。
（１）光電子放出材は、長時間の使用によりその環境の影響を受け、性能が低下する。これは、光電子放出材の使用環境における有機性ガス（Ｈ．Ｃ）が表面に付着することにより、引き起こされる原因による。
（２）有機性ガスは、紫外線照射された光触媒により、分解・除去される。
（３）光電子放出材を加熱下で用いると、その表面に汚染物が付着しにくい（付着量が抑制される）。
次に、本発明を詳細に説明する。
図１は、本発明の光電子放出装置の基本構成図である。図１において、本発明の光電子放出装置１０は、紫外線源、例えば紫外線ランプ１、該ランプの表面上に付加した光触媒９、紫外線ランプ１からの紫外線照射により光電子７を放出する物質（光電子放出材）３よりなる。
【０００８】
光電子放出材３は、光触媒９の表面に付加されており、紫外線ランプ１からの紫外線照射により光電子７を放出する。
ここで、光触媒９は光電子放出材３と一体化して付加されており、光電子放出材３に付着し、性能低下をもたらす汚染物質（Ｈ．Ｃ）は該光触媒９の作用を受けて分解・除去される。この結果、光電子放出材は長時間安定性能を維持する。即ち、本発明の光電子放出装置１０は、セルフクリーニングタイプの光電子放出装置である。
該光電子７の放出は、後述のように電場下での紫外線照射で効果的となる。そのため、図２に示すように、光触媒９の下の紫外線ランプ表面に、紫外線透過性の電場設定用の導電性物質１１を付加することができる。該導電性物質１１の付加により、電場の設定が確実になる。
【０００９】
次に、本発明の紫外線源への光電子放出材と光触媒の一体化付加について説明する。該一体化には、次の４つの方法がある。
（１）紫外線源上へ光電子放出材と光触媒を同一面上に交互に付加する方法。
（２）紫外線源上へ先ず光触媒を付加し、その上に光電子放出材を付加する方法。
（３）紫外線源上へ先ず光電子放出材を付加し、その上に光触媒を付加する方法。
（４）紫外線源上へ光電子放出材と光触媒とを混合及び／又は多層化（重ね合わせ）付加する方法。
ここで、導電性物質は、光電子放出材が電場設定できるように、少なくとも光電子放出材の下に付加を行えば良い。
【００１０】
次に、本発明の夫々の構成について説明する。
光電子放出材は、後述の紫外線源の上に光触媒と一体化をなして配備でき、紫外線の照射により光電子を放出するものであれば何れでも良く、光電的な仕事関数が小さなもの程好ましい。効果や経済性の面から、Ｂａ，Ｓｒ，Ｃａ，Ｙ，Ｇｄ，Ｌａ，Ｃｅ，Ｎｄ，Ｔｈ，Ｐｒ，Ｂｅ，Ｚｒ，Ｆｅ，Ｎｉ，Ｚｎ，Ｃｕ，Ａｇ，Ｐｔ，Ｃｄ，Ｐｂ，Ａｌ，Ｃ，Ｍｇ，Ａｕ，Ｉｎ，Ｂｉ，Ｎｂ，Ｓｉ，Ｔｉ，Ｔａ，Ｕ，Ｂ，Ｅｕ，Ｓｎ，Ｐ，Ｗのいずれか又はこれらの化合物又は合金が好ましく、これらは単独で又は二種以上を複合して用いられる。複合材としては、アマルガムの如く物理的な複合材も用いうる。
化合物としては酸化物、ほう化物、炭化物があり、酸化物にはＢａＯ，ＳｒＯ，ＣａＯ，Ｙ２  Ｏ５  ，Ｇｄ２  Ｏ３  ，Ｎｄ２  Ｏ３  ，ＴｈＯ２  ，ＺｒＯ２  ，Ｆｅ２  Ｏ３  ，ＺｎＯ，ＣｕＯ，Ａｇ２  Ｏ，Ｌａ２  Ｏ３  ，ＰｔＯ，ＰｂＯ，Ａｌ２  Ｏ３  ，ＭｇＯ，Ｉｎ２  Ｏ３  ，ＢｉＯ，ＮｂＯ，ＢｅＯなどがあり、またほう化物にはＹＢ６  ，ＧｄＢ６  ，ＬａＢ５  ，ＮｄＢ６  ，ＣｅＢ６  ，ＥｕＢ６  ，ＰｒＢ６  ，ＺｒＢ２  などがあり、さらに炭化物としてはＵＣ，ＺｒＣ，ＴａＣ，ＴｉＣ，ＮｂＣ，ＷＣなどがあり窒化物としてＴｉＮがある。
【００１１】
また、合金としては黄銅、青銅、リン青銅、ＡｇとＭｇとの合金（Ｍｇが２〜２０ｗｔ％）、ＣｕとＢｅとの合金（Ｂｅが１〜１０ｗｔ％）及びＢａとＡｌとの合金を用いることができ、上記ＡｇとＭｇとの合金、ＣｕとＢｅとの合金及びＢａとＡｌとの合金が好ましい。
紫外線源上への付加の方法は、紫外線源からの紫外線照射により、光電子が放出されるものであれば、何れでも良い。
該付加は、薄膜状、網状、粒子、島状、帯状、くし状の適宜の形状を、適用装置の種類、形状、規模、後述の紫外線源の種類、形状、要求性能などにより、適宜に選して用いることができる。
光電子放出材の付加の方法は、上記のように、紫外線源、光触媒、導電性物質のいずれかの表面に周知の方法でコーティング、あるいは付着させて作ることができる。例えば、イオンプレーティング法、スパッタリング法、蒸着法、ＣＶＤ法、メッキによる方法、塗布による方法、スタンプ印刷による方法、スクリーン印刷による方法を適宜用いることができる。
【００１２】
付加の厚さは、下記の紫外線源から放出される紫外線の照射により光電子が放出される厚さであれば良く、５Å〜５，０００Å、通常２０Å〜５００Åが一般的である。
薄膜状の付加は、本発明者がすでに提案したように、１種類又は２種類以上の材料を１層又は多層重ねて用いることができる。すなわち、薄膜を適宜複数（複合）で使用し、２重構造あるいはそれ以上の多重構造とすることができる（特開平４−１５２２９６号公報）。
紫外線照射により光電子を放出する物質（光電子放出材）の種類や付加法、形状、付加の厚さは、装置の種類、規模、形状、紫外線源の種類、導電性物質の種類、光触媒の種類、後述電場の強さ、かけ方、効果、経済性等で適宜予備試験を行い決めることが出来る。
また、光電子放出材への紫外線の照射は電場において行うと、光電子放出材からの光電子発生が効果的に起こる。
【００１３】
電場の形成方法としては、荷電部の形状、構造、適用分野或いは期待する効果（精度）等によって適宜選択することが出来る。電場の強さは、光電子放出材の種類等で適宜決めることが出来、このことについては本発明者の別の発明がある。電場の強さは、一般に０．１Ｖ／ｃｍ〜２ｋＶ／ｃｍである。
電極材料とその構造は通常の荷電装置において使用されているもので良く、例えば電極材料としてタングステン、Ｃｕ−Ｚｎ、ＳＵＳの板状、線状、網状、あるいは棒状の電極材が用いられる。
このような電場の形成は、後述の光触媒の光触媒作用を加速するので好ましい（特開平８−１０５７６号公報）。
また、Ｈ．ＣやＮＨ３  のようなガス状汚染物質を同時に除去したい用途、装置では、該電極材と後述の光触媒を一体化することで効果的な除去ができるので好ましい（特開平８−２３１２９０号公報）。
【００１４】
次に、紫外線照射により光触媒作用を発揮する物質について説明する。
光触媒は、紫外線照射により光電子を放出する物質と一体化をなして配備でき、光照射により有機物を分解できるものであればいずれでもよい。
通常、半導体材料が効果的であり、容易に入手出来、加工性も良いことから好ましい。効果や経済性の面から、Ｓｅ，Ｇｅ，Ｓｉ，Ｔｉ，Ｚｎ，Ｃｕ，Ａｌ，Ｓｎ，Ｇａ，Ｉｎ，Ｐ，Ａｓ，Ｓｂ，Ｃ，Ｃｄ，Ｓ，Ｔｅ，Ｎｉ，Ｆｅ，Ｃｏ，Ａｇ，Ｍｏ，Ｓｒ，Ｗ，Ｃｒ，Ｂａ，Ｐｂのいずれか、又はこれらの化合物、又は合金、又は酸化物が好ましく、これらは単独で、また２種類以上を複合して用いる。
例えば、元素としてはＳｉ，Ｇｅ，Ｓｅ、化合物としてはＡｌＰ，ＡｌＡｓ，ＧａＰ，ＡｌＳｂ，ＧａＡｓ，ＩｎＰ，ＧａＳｂ，ＩｎＡｓ，ＩｎＳｂ，ＣｄＳ，ＣｄＳｅ，ＺｎＳ，ＭｏＳ２  ，ＷＴｅ２  ，Ｃｒ２  Ｔｅ３  ，ＭｏＴｅ，Ｃｕ２  Ｓ，ＷＳ２  、酸化物としてはＴｉＯ２  ，Ｂｉ２  Ｏ３  ，ＣｕＯ，Ｃｕ２  Ｏ，ＺｎＯ，ＭｏＯ３  ，ＩｎＯ３  ，Ａｇ２  Ｏ，ＰｂＯ，ＳｒＴｉＯ３  ，ＢａＴｉＯ３  ，Ｃｏ３  Ｏ４  ，Ｆｅ２  Ｏ３  ，ＮｉＯなどがある。
【００１５】
光触媒の付加は、蒸着法、スパッタリング法、焼結法、ゾル−ゲル法、塗布による方法、焼付け塗装による方法など、周知の付加方法を適宜用い、薄膜状、線状、網状、帯状、くし状、粒状、島状の適宜の形状を適用装置の種類、形状、規模、紫外線源の種類、形状、要求性能などにより適宜に選択して用いることができる。
付加の厚さは、下方の紫外線源から放出される紫外線照射により光触媒表面が光触媒作用を発揮する厚さであれば良く、１００Å〜２，０００Åが通常の厚さであり、適正な厚さは紫外線源からの照射紫外線の照射強度などにより適宜予備試験を行い決めることができる。
【００１６】
また、光触媒作用の向上のために、上記光触媒にＰｔ，Ａｇ，Ｐｄ，ＲｕＯ２  ，Ｃｏ３  Ｏ４  の様な物質を加えて使用することも出来る。該物質の添加は、光触媒による有機物の分解作用が加速されるので好ましい。これらは、一種類又は複数組合せて用いることができる。通常、添加量は、光触媒に対して、０．０１〜１０重量％であり、適宜添加物質の種類や要求性能などにより、予備試験を行い適正濃度を選択することができる。
添加の方法は、含浸法、光還元法、スパッタ蒸着法、混練法など周知手段を適宜用いることができる。
次に、導電性物質について述べる。
導電性物質は、電場設定を確実にするための陰極用として使用され、これにより光電子放出材は均一に負極に設定される。
【００１７】
該導電性物質は、導電性及び紫外線透過性を有し、上記の紫外線照射により光電子を放出する物質、光触媒作用を発揮する物質とともに紫外線源上の適宜の位置に（例、紫外線ランプの上で、光触媒の下、紫外線ランプの上で、光電子放出材の下）、薄膜状に付加でき、光電子放出材への紫外線の照射を電場において行うと、光電子を放出する物質からの光電子発生が効果的に起こるものであれば何れでも良い。通常、透明導電性薄膜が好ましく酸化インジウム（Ｉｎ２  Ｏ３  ）系、あるいは酸化スズ（ＳｎＯ２  ）系の薄膜が好ましい。例としては、ＳｎをドープしたＩｎ２  Ｏ３  膜（ＩＴＯ）、ＳｂをドープしたＳｎＯ２  膜がある。これらの物質は、１種類又は２種類以上を組合わせて使用できる。
該導電性物質の付加を行い電場設定を行うと、上記の光電子放出作用の確実性の向上に、光触媒が光触媒作用を加速される（光触媒作用の向上）ので好ましい。これは、電場の設定により光触媒の正孔と電子の再結合が抑制され、結果として光触媒作用が向上すると考えられる。上記導電性物質付加による光電子放出作用と光触媒作用の向上は、本発明の大きな特徴である。
【００１８】
次に、紫外線の照射源について述べる。
該照射源は、上記光電子放出材、光触媒、導電性物質が付加でき、照射紫外線により、光電子放出材から光電子が放出され、光触媒は光触媒作用を発揮するものであれば良い。
一般に、水銀灯、水素放電管、キセノン放電管、ライマン放電管などを適宜使用出来る。
光源の例としては、殺菌ランプ、ブラックライト、蛍光ケミカルランプ、ＵＶ−Ｂ紫外線ランプ、キセノンランプがある。この内、殺菌ランプ（主波長：２５４ｎｍ）が好ましい。殺菌ランプは、光触媒への有効照射光量を強くでき、光触媒作用が強くなり、光電子放出にも効果的で、また、オゾンレスであり、殺菌（滅菌）作用を有するためである。
該光源の形状は、棒状、螺線状、箱状等適宜の形状のものを用いることができる。
【００１９】
紫外線源へ光電子放出材を付加すると、紫外線源からの発熱により、汚染物質が付着しにくくなり、本発明の特徴である。即ち、発熱部があると、発熱部から低温部へ気流が起こるので、発熱部には汚染物質の付着が抑制される。本発明では、その上に、付着した汚染物質を光触媒により、分解するものである。
本発明の光電子放出装置の設置方法は、適用装置の空間中や壁面や流路中などの適宜の位置に、適用装置、装置形状、規模、紫外線源の種類、形状、要求性能などにより適宜、１台あるいは複数台設置して用いることができる。
本発明の特徴は、光電子放出材へ付着し、性能劣化をもたらすガス状汚染物質（汚染物）、特に有機性ガスを、光電子放出材と一体化して付加した光触媒により分解するものである。ガス状汚染物質の分解の反応メカニズムの詳細は不明だが次のように考えられる。
【００２０】
光電子放出材の表面に付着したガス状汚染物質は、該表面に吸着後、拡散して光電子放出材と一体化をなして配備して付加した光触媒の有する光触媒作用を受け分解処理される。すなわち、本発明の光電子放出装置は、セルフクリーニング機能（表面の清浄化）を有する光電子放出材である。
本発明の光電子放出装置の機能は、付着性の有機性ガスを分解・除去するので、本発明の利用先、装置種類によっては価値の大きい（意義の大きい）作用となり、本発明の特徴である。
例えば、気体清浄化関係において、気体中の有機性ガスが問題となる場合は効果的である。
例を挙げると、半導体や液晶産業などの先端産業の分野における気体の清浄化がある。
【００２１】
例えば、ウエハやガラスなどの基板に付着し、歩留りを低下させる有機性ガスは、気体中の多成分の有機性ガスの内の一部の該基板に付着しやすい構造を有する有機性ガスのみである。光触媒は吸着作用を有するので、この基板に付着しやすい構造を有する有機性ガスが光触媒の表面に吸着し、光触媒作用により分解される。
この作用について、次に詳しく説明する。
有機性ガスによる基板の汚染は、後述の接触角で表現される。接触角を増加させる有機性ガスは、基板（ウエハ、ガラス材など）種類や基板上の薄膜の種類、性状によって異なるが、本発明者らの研究によると次のように考えられる。
すなわち、通常のクリーンルームにおける基板表面の接触角を増加させる有機性ガス（Ｈ．Ｃ）で共通して言えることは、高分子量のＨ．Ｃが主であり、その構造として−ＣＯ、−ＣＯＯ結合（親水性を有する）を持つことである。このＨ．Ｃは親水部（−ＣＯ、−ＣＯＯ結合部）を有する疎水性物質（Ｈ．Ｃの基本構造の−Ｃ−Ｃ−の部分）と考えることができる。
【００２２】
具体例で説明すると、通常のクリーンルームにおけるガラス基板などの基板表面の接触角を増加させる有機性ガスは、Ｃ１６〜Ｃ２０の高分子量Ｈ．Ｃ、例えばフタル酸エステル、高級脂肪酸フェノール誘導体であり、これらの成分に共通することは化学的構造として、−ＣＯ、−ＣＯＯ結合（親水性を有する）を持つことである。
これらの汚染有機性ガスの起因は、高分子製品の可塑剤、離型剤、酸化防止剤などであり、高分子製品の存在する個所が発生源である（「空気清浄」第３３巻、第１号、ｐ１６〜２１、１９９５）。
光触媒によるこれらの有機性ガスの処理メカニズムの詳細は不明であるが、次のように推定できる。すなわち、これらの有機性ガスは−ＣＯ、−ＣＯＯ結合の部分がウエハやガラス表面のＯＨ基と水素結合し、その上部は疎水面となり、結果としてウエハやガラス表面は疎水性になり、接触角が大きくなり、その表面に成膜すると膜の付着力は弱い。
【００２３】
有機性ガスが存在する雰囲気に光触媒を設置すると、その活性部である−ＣＯ、−ＣＯＯ結合部が、光触媒に吸着し、次いで光触媒作用により分解作用を受けて別の安定な形態に変換される。その結果として、有機性ガスは安定な形態となり、ウエハやガラス基板上には付着しないか、又は付着しても疎水性を示さない。
上記において、接触角は、ウエハやガラスなど基板表面の汚染の程度を表わすものであり、汚染が激しいと、接触角が大きい、接触角が大きい基材や基板は、その表面に成膜しても、膜の付着強度が弱く（なじみが悪い）、歩留まりの低下をまねく。
ここで、接触角とは水によるぬれの接触角のことであり、基板表面の汚染の程度を示すものである。すなわち、基板表面に疎水性（油性）の物質を付着すると、その表面は水をはじき返してぬれにくくなる。すると基板表面と水滴との接触角は大きくなる。従って接触角が大きいと汚染度が高く、逆に接触角が小さいと汚染度が低い。
また、民生の分野の空気清浄において、体臭やＶＯＣが問題となる気体の清浄化においても実用上有効である。
【００２４】
【実施例】
以下、本発明を実施例により具体的に説明するが、本発明は下記の実施例に何ら限定されるものではない。
実施例１
半導体工場のクリーンルームにおける空気清浄を、図３により前記図１に示した本発明の光電子放出装置１０を用いた空気清浄装置Ａの基本構成図を用いて説明する。
図３において、１２はクラス１，０００のクリーンルームであり、ガス状汚染物質としてのＨ．Ｃ１３、及び粒子状物質（微粒子）１４を含むクリーンルーム空気６は、空気清浄装置Ａに導入される。空気清浄装置Ａは、図１に示した紫外線ランプ１、該ランプの表面上に付加した光触媒（紫外線照射により光触媒作用を発揮する物質）９、光電子放出材（光触媒ＴｉＯ２  の上にＡｕを粒子状に付加）３より成る本発明の光電子放出装置１０が設置されており、該光電子放出装置１０から光電子を効率良く放出する。前記空気６は、光電子放出装置１０、電場設定のための電極１５、荷電微粒子捕集材１６により構成される空気清浄装置Ａに導入されることにより処理され、Ｈ．Ｃ及び微粒子が除去された清浄空気８となり、ウエハの製造装置（ウエハの加工、成膜プロセス）１７へ供給される。
【００２５】
電極１５は、光電子放出装置１０からの光電子の放出を電場で行うために設置している。すなわち、該装置１０における光電子放出材３と電極１５の間に電場を形成している。微粒子の荷電は、電場において光電子放出材３に紫外線照射することにより効率良く発生する光電子７（図１）により実施される。
ここでの電場の電圧は、５０Ｖ／ｃｍである。
前記の電極１５は、光触媒１８と一体化したものである。即ち、該光触媒１８により、クリーンルーム空気６中Ｈ．Ｃは、光電子放出装置１０における光触媒９による分解・除去に加えて分解・除去される。これらによりＨ．Ｃは、効率良く分解・除去される。
次に、本例を詳細に説明する。クリーンルーム１２に入る前の外気１９は、先ず粗フィルター２０と空気調和器２１で処理される。次いで、空気はクリーンルーム１２に入る際にＨＥＰＡフィルター２２によって除塵されるが、Ｈ．Ｃが共存するクラス１，０００の濃度の空気２３となる。
【００２６】
すなわち、外気１９に共存する自動車起因のＨ．Ｃや、プラスチック類など高分子樹脂起因のＨ．Ｃは、粗フィルター２０、空気調和器２１、及びＨＥＰＡフィルター２２では除去されないため、クリーンルーム１２内に導入されてしまう。更に、クリーンルーム１２内では、クリーンルーム１２の構成材やウエハから製品への製造装置１７などの高分子樹脂類からＨ．Ｃ、例えばフタル酸エステル、高級脂肪酸１３が発生する。
また、クリーンルーム１２では、省エネ・省コストのため、クリーンルーム１２内の空気が循環系２４により循環使用されている。
このため、外気１９中のＨ．Ｃ濃度１．１ｐｐｍ（非メタンＨ．Ｃ）に対し、クリーンルーム１２中のＨ．Ｃ濃度１．２〜１．５ｐｐｍ（非メタンＨ．Ｃ）となっている。前記クリーンルーム１２内の構成材やウエハの製造装置１７などから発生したＨ．Ｃは、ウエハに付着性が高い構造のＨ．Ｃが多いので、外気１９中のＨ．Ｃに比較してウエハ汚染への関与が大きい。
【００２７】
本例の光電子放出装置１０は、図１にその構成図を示したものである。すなわち、紫外線ランプ１は殺菌ランプ、光触媒９はＴｉＯ２  、光電子放出材３は粒状Ａｕである。
空気清浄装置Ａに導入された空気６中の微粒子は、紫外線ランプ１からの照射を受けた本発明の光電子放出装置１０におけるＡｕ３から放出される光電子７により、荷電微粒子となり、後方の荷電微粒子捕集材１６により捕集・除去される。一方、空気６中のガス状汚染物質としてのＨ．Ｃは紫外線ランプ１からの照射を受けた本発明の光電子放出装置１０におけるＴｉＯ２  ９により分解される。
また、Ｈ．Ｃは電極１５と一体化されている光触媒１８によっても分解・除去作用を受け、高効率な分解・除去が実施される。
【００２８】
すなわち、該Ｈ．Ｃの内、ウエハなどの製品、半製品、原料に付着し歩留まりの低下をもたらす原因となる種類のＨ．Ｃは付着性が高いので、ＴｉＯ２  ９、１８にも容易に付着し、ＴｉＯ２  の光触媒作用を受けて分解される。付着性の高いＨ．Ｃは、この様にして分解・除去されるので、空気は清浄化されると同時に、光電子放出材３としてのＡｕ及びその周辺は不純物が付着しないで絶えずクリーニングされている。
２５は、粗フィルターである。
このようにして、空気６中のガス状汚染物質としてのＨ．Ｃが分解・除去（０．１ｐｐｍ以下）され、また微粒子が捕集・除去（クラス１より清浄）され、清浄化空気８が得られる。
ここでの光触媒９、１８の分解・除去は、Ｈ．Ｃについて説明したがＨ．Ｃに共存するＮＨ３  やアミン類等、及び光触媒に付着（吸着）する他のガス状汚染物質も同様に分解・除去される（ＮＨ３  はクリーンルーム空気６中では８０ｐｐｂが、清浄空気８中では１ｐｐｂ以下となる）。
【００２９】
実施例２
実施例１の半導体工場のクラス１，０００のクリーンルームに設置された小型のウエハ保管庫（ウエハ収納ストッカ）における空気清浄を、図４の前記図２に示した本発明の光電子放出装置１０を用いたウエハ保管庫の基本構成図を用いて説明する。図４に示したウエハ保管庫Ｂの空気清浄は、ウエハ保管庫Ｂの片側に設置された空気清浄装置Ａ、即ち図２に示した紫外線ランプ１、該ランプ１上に付加された紫外線透過性の導電性物質１１、光触媒９、光電子放出材３より成る本発明の光電子放出装置１０、該光電子放出装置１０から光電子を効率良く放出する電場設定のための電極１５、荷電微粒子捕集材１６により実施される。  即ち、ストッカＢには、ストッカＢにおけるウエハキャリア２６に収納されたウエハ２７の搬入、搬出によりクリーンルーム１２内のガス状汚染物質としてのＨ．Ｃ１３、及び粒子状物質（微粒子）１４を含む空気２３が侵入する。
【００３０】
ここで、ウエハ保管庫Ｂ中の微粒子（微粒子状物質）１４は、紫外線ランプ（殺菌ランプ）１からの紫外線が照射された光電子放出装置１０から放出される光電子７により荷電され、荷電微粒子となり、該荷電微粒子は荷電微粒子の捕集材１６に捕集される。
一方、ウエハ保管庫Ｂ中のＨ．Ｃ１３は、光電子放出装置１０の表面に吸着し、紫外線照射を受けたＴｉＯ２  により分解、無害化処理される。
このようにして、ウエハの存在する被処理空間部（清浄化空間部、Ｃ）は高清浄化される。ここで、遮光材２８は被処理空間部と空気清浄化部（空気清浄装置）の間に設置され、本例では電極（平板状）４に隣接されている。遮光材２８は紫外線ランプ１からの紫外線のウエハキャリア２６及びウエハ２７への照射を防ぐために設置されている。
【００３１】
ここでの光電子放出装置１０は、前記図２に示したものである。即ち、紫外線ランプ１は殺菌ランプ、導電性物質１１はＩＴＯ、光触媒はＴｉＯ２  、光電子放出材３は粒状Ａｕである。
ウエハ保管庫Ｂでは、ウエハ２７の保管庫Ｂへの出し入れ（該保管庫の開閉）毎にクリーンルーム１２中の有害物質としての微粒子１４（濃度：クラス１，０００）や、ウエハ基板に付着すると接触角の増加をもたらす有機性ガス１３（非メタンＨ．Ｃ濃度：１．０〜１．５ｐｐｍ）が侵入するが、上記のごとくして、これらの有害物質（微粒子及び有機性ガス）は捕集・除去され、保管庫Ｂの清浄化空間部Ｃ）では接触角の増加をももたらさない（非メタンＨ．Ｃ濃度として０．２ｐｐｍ以下）クラス１よりも清浄な超清浄空間が創出される。
【００３２】
ここで、ガス状汚染物質としてのＮＨ３  は、クリーンルーム空気６中の濃度８０ｐｐｂが、ストッカＢ中では光触媒で同様に分解・除去され１ｐｐｂ以下となる。
２９−１、２９−２、２９−３は、保管庫内の空気の流れを示す。すなわち、空気清浄装置Ａに移動した空気は、紫外線ランプの照射により加温されるため、上昇気流が生じ保管庫Ｂ内を矢印、２９−１〜２９−３の様に動く。この空気の自然循環による動きにより、保管庫Ｂ内の微粒子１４やウエハ基板に付着すると接触角の増加をもたらす有機性ガス１３は、空気清浄装置Ａ内に順次効果的に移動する。このようにして、保管庫Ｂ内は、迅速かつ簡便に清浄化され、ウエハ保管庫は超清浄空気となり、ウエハへの汚染防止が顕著になる。
図４において、図３と同一符号は、同じ意味を示す。
【００３３】
実施例３
図５、６は、実施例２のウエハ保管庫Ｂの別の形態であり、本発明の光電子放出装置１０を、Ｈ．Ｃ除去のための光触媒１８と一体化した電場用電極材１５及び荷電微粒子捕集材１６とで一体化して空気清浄ユニットＡとなし、ストッカＢの空間中に設置したものである。
該空気清浄ユニットＡは、ストッカＢ内の適宜の位置に、適宜の数量を、空間の大きさ、形状、要求性能等により適宜に配置できる特徴がある。
図５の空気清浄ユニットＡにおける本発明の光電子放出装置１０は、前記の図２（実施例２）で示したもの、光触媒１８と一体化した電極材１５は、図３で示したものである。
【００３４】
ウエハ保管庫Ｂでは、ウエハ２７の保管庫Ｂへの出し入れ（該保管庫の開閉）毎にクリーンルーム１２中の有害物質としての微粒子１４（濃度：クラス１，０００）や、ウエハ基板に付着すると接触角の増加をもたらす有機性ガス１３（非メタンＨ．Ｃ濃度：１．０〜１．５ｐｐｍ）が侵入するが、上記のごとくして、これらの有害物質（微粒子及び有機性ガス）は捕集・除去され、保管庫Ｂの清浄化空間部Ｃでは接触角の増加をももたらさない（非メタンＨ．Ｃ濃度として０．２ｐｐｍ以下）クラス１よりも清浄な超清浄空間が創出される。
ここで、ガス状汚染物質としてのＮＨ３  は、クリーンルーム空気６中の濃度８０ｐｐｂが、ストッカＢ中では光触媒で同様に分解・除去され１ｐｐｂ以下となる。
【００３５】
２９−１、２９−２、２９−３は、保管庫内の空気の流れを示す。すなわち、空気清浄装置Ａに移動した空気は、紫外線ランプの照射により加温されるため、上昇気流が生じ保管庫Ｂ内を矢印、２９−１〜２９−３の様に動く。この空気の自然循環による動きにより、保管庫Ｂ内の微粒子１４やウエハ基板に付着すると接触角の増加をもたらす有機性ガス１３は、空気清浄装置Ａ内に順次効果的に移動する。このようにして、保管庫Ｂ内は、迅速かつ簡便に清浄化され、ウエハ保管庫は超清浄空気となり、ウエハへの汚染防止が顕著になる。
図５、６において、図３、４と同一符号は、同じ意味を示す。
【００３６】
実施例４
図７は、病室１２における空気清浄を示す説明図である。図７において、ガス状汚染物質としての体臭（例、ＮＨ３  、高級脂肪酸、アルデヒド類）、ＶＯＣ等１３、及び粒子状物質（塵あい、各種菌類、微生物含有粒子等）１４は、図８に詳細が示される本発明の光電子放出装置１０、電極材１５−１、１５−２及びファン３０により成る空気清浄装置（空気清浄器）Ａにより処理され、病人３１の寝ている被処理空間部Ｃに清浄空気２９−１、２９−２が供給される。
即ち、病室１２内は、外部から侵入するガス状汚染物質（例、Ｈ．Ｃ）や粒子状物質（例、微粒子）に加えて、病人３１から発生するガス状汚染物質として体臭１３、粒子状物質（例、黄色ぶどう球菌）１４により汚染されている。
特に、病室１２における病人３１は、菌類（例、黄色ぶどう球菌）の発生があり、病室１２内は菌類が蓄積され高濃度となるので、病人３１への見舞いの人や看護婦への感染の危険性がある。
【００３７】
これらのガス状汚染物質１３や粒子状物質１４は、図８にその基本的構成が示された空気清浄装置Ａにて捕集・除去される。そして、菌類は、殺菌処理（増殖防止）される。
図８を説明する。
空気清浄装置Ａは、図２で示した本発明の光電子放出装置１０（殺菌ランプ１の上に導電性物質としてＩＴＯ、光触媒としてＴｉＯ２  、光電子放出材としてＡｕを図２のごとく付加）、網状の電極材１５−１、１５−２、ガス状汚染物質１３及び粒子状物質１４を含む処理空気２９−３、２９−４を該空気清浄装置Ａ内に強制通気（導入）するためのファン３０より構成される。
ここで、電極１５−１、１５−２は光電子放出材（図２中３）との間の電場の形成と、荷電粒子状物質の捕集材の２つの機能を有する。該電極１５−１、１５−２は、光触媒と電極を一体化したものであり、光電子放出装置１０における殺菌ランプ（図２中１）からの紫外線照射を受け光触媒作用を発揮するものである。
【００３８】
ここでは、電場下（光電子放出材（負）と捕集材としての電極（正）１５−１、１５−２間に２００Ｖ／ｃｍ）で、光電子放出装置１０における光電子放出材３に紫外線ランプ１からの紫外線を照射することにより光電子を発生させ、該光電子により処理空気２９−３、２９−４中の粒子状物質１４を荷電させ、該荷電粒子物質は捕集材１５−１、１５−２にて捕集・除去される。
一方、ガス状汚染物質１３は、光電子放出装置１０における紫外線ランプ１上に付加された光触媒９、及び電極１５−１、１５−２と一体化された光触媒に付着し、分解・除去される。これにより、清浄装置Ａ出口の空気２９−１、２９−２は、ガス状汚染物質１３と粒子状物質１４が除去された清浄空気となる。
【００３９】
ここで、該捕集材１５−１、１５−２に捕集された各種菌類、微生物類は、（該捕集材は光触媒作用を有するので）捕集材（光触媒）により光触媒作用による殺菌作用を受け、かつ紫外線ランプ（殺菌ランプ：主波長２５４ｎｍ）からの紫外線（殺菌線）の照射を受け殺菌（滅菌）される。このようにして、安全な除菌空気が容易に得られることが本発明の特徴の１つである。
前記のガス状汚染物質１３と粒子状物質１４の濃度は、昼間は人の出入りによるガス状汚染物質１３や粒子状物質１４の侵入や病人の立ち上がり（動き）などによる発生により高くなるので、ファン３０を作動させてこれらの物質の迅速なる捕集・除去を行う。
即ち、ファン３０の作動により、処理空気２９−３、２９−４が吸引され、ここで、前記のごとくして、処理空気２９−３、２９−４中のガス状汚染物質１３、粒子状物質１４が捕集・除去され、清浄空気２９−１が得られる。これより、濃度が高いガス状汚染物質１３や粒子状物質１４は、一定濃度以下に維持される。
【００４０】
そして、夜間はファン３０をストップし、本発明の光電子放出装置１０における紫外線ランプ１の照射により生ずる自然に発生する上昇気流による空気清浄を行う。即ち、処理空気２９−３が、空気清浄装置Ａの下方より導入され、前記のごとくして、処理空気２９−３中のガス状汚染物質１３と粒子状物質１４が捕集・除去され、清浄空気２９−２が得られる。これにより、オゾンレスで無騒音の空気清浄が行われる。即ち、夜間は病室の扉は閉じられ、人の活動は無いので、紫外線ランプ１による上昇気流のみの受動的な空気処理が、無騒音で実施されるので睡眠の妨げにならず、実用上好適である。
３２は、ベッド、３３はふとんである。
ここでのファン３０は、シロッコファンである。
【００４１】
実施例５
図９は、実施例４の室内の空気清浄装置（空気清浄器）Ａの別の形態である。空気清浄装置Ａは、本発明の光電子放出装置１０、該装置から光電子を効率良く発生させるための電場用の網状電極（ガス状汚染物質を分解・除去するために、光触媒を付加した材料）１５、荷電微粒子の捕集材としての電極１６、ガス状汚染物質１３及び粒子状物質１４を含む処理空気２９−３（２９−４）を該空気清浄装置Ａ内に強制通気（導入）するためのファン３０より構成される。
前記のガス状汚染物質１３と粒子状物質１４の濃度は、昼間は人の出入りによるガス状汚染物質１３や粒子状物質１４の侵入や病人の立ち上がり（動き）などによる発生により高くなるので、ファン３０を作動させてこれらの物質の迅速なる捕集・除去を行う。
即ち、ファン３０の作動により、処理空気２９−３（２９−４）が吸引され、ここで、前記のごとくして、処理空気２９−３（２９−４）中のガス状汚染物質１３、粒子状物質１４が捕集・除去され、清浄空気２９−１（２９−２）が得られる。これにより、濃度が高いガス状汚染物質１３や粒子状物質１４は、一定濃度以下に維持される。
【００４２】
そして、夜間はファン３０をストップし、本発明の光電子放出装置１０における紫外線ランプ（殺菌ランプ）１の照射により生ずる自然に発生する上昇気流による空気清浄を行う。即ち、処理空気２９−３（２９−４）が、空気清浄装置Ａの下方より導入され、前記のごとくして、処理空気中のガス状汚染物質１３と粒子状物質１４が捕集・除去され、清浄空気２９−１（２９−２）が得られる。これにより、オゾンレスで無騒音の空気清浄が行われる。即ち、夜間は病室の扉は閉じられ、人の活動は無いので、紫外線ランプによる上昇気流のみの受動的な空気処理が、無騒音で実施されるので睡眠の妨げにならず、実用上好適である。
ここで、該捕集材１６に捕集された各種菌類、微生物類は、紫外線ランプ（殺菌ランプ：主波長２５４ｎｍ）１からの紫外線（殺菌線）の照射を受け殺菌（滅菌）される。このようにして、安全な除菌空気が容易に得られることが本発明の特徴の１つである。
【００４３】
実施例６
図４に示した構成のウエハ保管庫に、半導体工場の下記試料空気を入れ、本発明の光電子放出装置１０を用いた空気清浄装置Ａにより空気清浄を行い、保管庫内の微粒子濃度、保管庫に収納したウエハ表面上の接触角、該ウエハ表面にＣｒ膜を成膜し、該膜のウエハとのなじみ（付着力）を測定した。また、保管庫内のウエハに吸着した炭化水素の同定、及び保管庫中の非メタン炭化水素、ＮＨ３  の濃度を調べた。また、比較として、光触媒材がない場合の光電子放出装置（Ａｕのみ付加の場合、ブランク）も同様に調べた。
１）保管庫の大きさ      ；  ８０リットル
２）光電子放出装置      ；
（１）紫外線源      ：  殺菌ランプ
（２）導電性物質    ：  ＩＴＯ（殺菌ランプ表面に被覆）
（３）光触媒        ：  ＴｉＯ２  をＩＴＯ上に１０００Åを被覆
（４）光電子放出材  ：  粒状Ａｕを光触媒表面に付加
３）光電子放出用の電極  ；  ＳＵＳ板、１００Ｖ／ｃｍ
４）荷電微粒子の捕集材  ；  ＳＵＳ板、８００Ｖ／ｃｍ
【００４４】
５）測定      ；
（１）保管庫内の微粒子濃度の測定  ：  パーティクルカウンター〔光散乱、リオン（株）製、ＫＣ−２１〕
（２）接触角の測定    ：  水滴接触角法〔（株）協和界面科学製、ＣＡ−ＤＴ
（３）成膜したＣｒの付着力  ：  スクラッチ試験（ＲＨＥＳＣＡ製ＣＳＲ０２型）
（４）保管庫中非メタン炭化水素の測定  ：ガスクロマトグラフ（ＧＣ）
（５）ウエハ上に吸着した炭化水素の同定  ：  ＧＣ／ＭＳ法
（６）保管庫中ＮＨ３  の測定    ：  化学発光法
６）ウエハ上の成膜  ；  Ｃｒ３００ｎｍ厚さ、スパッタリング法
７）試料ガス        ；  微粒子濃度：クラス１００（１ｆｔ３  中の０．１μｍ以上の微粒子の個数）
非メタン炭化水素濃度：１．３ｐｐｍ
ＮＨ３  濃度：  １５０ｐｐｂ
８）保管庫内のウエハ  ；  ５インチウエハを１ｃｍ×８ｃｍに切断し、下記前処理後、保管庫に設置。
９）ウエハの前処理  ；  洗剤とアルコールで洗浄後、Ｏ３  発生下で紫外線照射（ＵＶ／Ｏ３  洗浄）。
【００４５】
結果
１）保管庫内の微粒子濃度
図１０は、経過時間による保管庫内のクリーン度（クラス：１ｆｔ３  中の０．１μｍ以上の微粒子の総個数）である。図１０は、保管庫の扉を１０回／日開閉を行い試料空気を導入し、その都度光電子放出装置を作動させ、３０分後のクリーン度を調べたものである。図１０において、クリーン度は光触媒が有る場合−〇−、無い場合−●−で示す。図中矢印は検出限界（クラス１）以下を示す。このように、光触媒を付加した場合は、長時間性能が安定していた。３００時間後、４２０時間及び５００時間後の光電子放出材をＥＳＣＡ分析したところ、光触媒付加無しのものは表面での炭素量の増加が観測され、空気中の有機物の吸着が認められた。これに対して本発明の光触媒付加有りのものは有機物は検出限界以下であった。
【００４６】
２）保管庫に収納したウエハ表面の接触角とＣｒ膜の付着力
図１１は、経過時間による接触角（角度）と付着力（ｍＮ）の変化を示すグラフである。図１１において、接触角は光触媒が有る場合−〇−、無い場合−●−で示し、また付着力は光触媒が有る場合−△−、無い場合−▲−で示す。
このように、光触媒を付加した場合は、時間の経過によっても変化がなかった。
また、光触媒なしのとき、５０時間後にウエハを取り出し、加熱によりウエハ上に付着した炭化水素を脱離させ、ＧＣ／ＭＳ法で測定したところ、フタル酸エステルを検出した。光触媒を設置した場合は検出しなかった。
また、保管庫内の非メタン炭化水素の濃度は、光触媒付加有りの場合、２時間、３５時間、１００時間、２００時間の経過後、いずれも０．１ｐｐｍ以下であった。光触媒無しの場合、２時間、３５時間、１００時間、２００時間の経過後、いずれも１．１ｐｐｍであった。
【００４７】
また、保管庫内のＮＨ３  の濃度は、光触媒付加有りの場合、２時間、３５時間、１００時間、２００時間の経過後、いずれも１ｐｐｂ以下であった。光触媒無しの場合、同時間において、１２０〜１４０ｐｐｂであった。
前記において、微粒子除去とガス状汚染物質除去について、導電性物質を付加しない場合も同様に調べたところ、同様の結果を得た。
図１２に、非メタン炭化水素濃度について、経過時間と濃度を示す。図１２中、−〇−は導電性物質が有りの場合、−△−は、導電性物質が無しの場合を示す。
図１２中、矢印は検出限界（０．１ｐｐｍ）以下を示す。
光触媒は、前述有機性ガスに共存する他のガス状汚染物質の内、ウエハやガラス基板に吸着性の高いガスも同時に処理される。
例えば、クリーンルームにおいて酸やアルカリ性物質が高濃度で存在する場合、例えば酸やアルカリ性物質を用いる洗浄工程における発生ＮＯｘやＮＨ３  がクリーンルームに流出している場合、該ガス状の汚染物質の濃度によっては、上述の接触角増加に関与する。この場合は、該ガス状の汚染物質も光触媒による作用により同時に処理される。
【００４８】
【発明の効果】
本発明によれば、次のような効果を奏することができた。
１）光電子放出装置として、紫外線源上に光触媒と光電子放出材とを一体化し、付加することにより、
（１）光電子放出材に付着し、性能低下をもたらす汚染物質（有機性ガス）は、共存する光触媒の作用により分解・除去される。それにより、セルフクリーニングされる光電子放出装置となった。
（２）光電子放出の効果が向上し、かつ安定したので、微粒子の荷電が効果的（荷電が高性能かつ、長時間安定）になり、実用性が向上した。
（３）光電子放出材への紫外線照射が、ごく近傍の紫外線源から行われるので、放出紫外線が有効利用され（放射状に放出される紫外線源を全て有効利用できる）、光電子放出効果（性能）が向上した。
【００４９】
（４）光電子放出効果が向上し、かつ安定したので装置が小型化（コンパクト化）し、処理容量が増加した。また、装置設計の自由度が大となった。
（５）紫外線源への光電子放出材の付加は、紫外線源からの発熱による作用により、汚染物質の光電子放出材への付着が起こりにくいので、本発明の光電子放出装置は、理屈にかなった装置となった。
（６）光触媒により、通常の空気中や気体中に存在する極低濃度レベルの有機性ガス（Ｈ．Ｃ）や塩基性ガス（ＮＨ３  ）は無害化された（分解・除去された）。これにより、本光電子放出装置の利用分野によっては、ガスと粒子の同時除去技術となり、実用上効果的となった。
【００５０】
例えば、▲１▼  半導体や液晶などの先端産業における清浄化空間の分野では、
（ａ）これにより、基材又は基板表面の接触角の増加を防止する気体あるいは雰囲気が得られた。
（ｂ）（ａ）で得られた気体（あるいは雰囲気）を半導体ウエハや液晶ガラスに暴露しておくと、該基材や基板表面の汚染が防止される。
（ｃ）ガス状有害成分を、効果的に処理できるので今後のクリーン化技術の方向として期待される局所空間（ミニエンバイロメント）の清浄化に好適に使用できた。
（ｄ）（ａ）より、本発明の光電子放出装置により清浄化された局所空間では、製品が低コストで製造できるので、適用装置が広がり、実用性が向上した。
▲２▼  民生の分野では、
（ａ）臭気性ガス（体臭、トイレ臭、タバコ臭）、ＶＯＣ等が処理されるので、アメニティや、健康被害上有効な雰囲気が得られた。
【００５１】
２）前記１）において、導電性物質の付加を行うことにより、
（１）光電子放出材からの光電子放出における電場形成が確実となった（信頼性の高い電場形成となり、本光電子放出装置の信頼性が向上した）。
（２）光触媒による光触媒作用が加速され、効果的となった。
（３）前記１）の（１）〜（６）の効果がより確実に、効果的になった（信頼性が向上し、実用上より有効となった）。
（４）光電子による粒子状物質の処理（除去）と、光触媒によるガス状汚染物質除去が効果的に出来るので、ガスと粒子を同時除去（制御）した超清浄空間を効率良く創出できた。
（５）ガスと粒子の効果的な同時除去により、適用分野が広がり、実用性が向上した。
３）前記１）における紫外線として、殺菌ランプを用いることにより、
（１）光触媒と光電子放出材の作用が効果的となった。
（２）殺菌作用を有するので、微生物や菌類が問題となる分野（装置種類）によっては、実用性が向上した。
【００５２】
４）上記のような効果を有することにより、夫々の利用分野で特に次の効果が生じた。
（１）清浄気体あるいは清浄空間を得る分野では、
（ａ）性能が向上し、長時間安定した。
（ｂ）装置が小型化し、処理容量が増加した。
（２）測定を行う分野では、
（ａ）測定精度が向上し、長時間安定した。
（ｂ）特に＜０．１μｍの様な超微粒子の測定精度向上に効果的となった。
（３）分離・分級、表面改質、荷電量の制御を行う分野では、
（ａ）性能が向上し、長時間安定した。
（ｂ）装置が小型化し、処理容量が増加した。
（ｃ）特に、＜０．１μｍの様な超微粒子の性能向上に効果的となった。
【図面の簡単な説明】
【図１】本発明の光電子放出装置の基本構成図。
【図２】本発明の別の光電子放出装置の基本構成図。
【図３】本発明の光電子放出装置を用いた空気清浄装置を備えたクリーンルームの概略図。
【図４】本発明の光電子放出装置を用いたウエハ保管庫を設置したクリーンルームの概略図。
【図５】本発明の光電子放出装置を備えた空気清浄装置の断面図。
【図６】図５の空気清浄装置を備えたウエハ保管庫の概略図。
【図７】本発明の光電子放出装置を有する空気清浄装置を備えた病室の概略図。
【図８】図７の空気清浄装置の拡大断面図。
【図９】図７の空気清浄装置の別の拡大断面図。
【図１０】経過時間（ｈ）によるクリーン度（クラス）の変化を示すグラフ。
【図１１】経過時間（ｈ）による接触角（角度）の変化を示すグラフ。
【図１２】経過時間（ｍｉｎ）による非メタン炭化水素濃度（ｐｐｍ）の変化を示すグラフ。
【図１３】公知の空気清浄器の断面図。
【符号の説明】
１：紫外線ランプ、３：光電子放出材、６：クリーンルーム空気、７：光電子、８：清浄空気、９：光触媒、１０：光電子放出装置、１１：導電性物質、１２：クリーンルーム、１３：ガス状汚染物質、１４：粒子状物質、１５：電極、１６：荷電微粒子捕集材、１７：ウエハ製造装置、１８：光触媒、１９：外気、２０：粗フィルター、２１：空気調和器、２２、ＨＥＰＡフィルター、２４：循環空気、２６：ウエハキャリア、２７：ウエハ、２８：遮光材、２９：気流の流れ、３０：ファン、Ａ：空気清浄装置、Ｂ：ウエハ保管庫、Ｃ：清浄化空間部
【図１】
0003552148.tif 000002
【図２】
0003552148.tif 000003
【図３】
0003552148.tif 000004
【図４】
0003552148.tif 000005
【図５】
0003552148.tif 000006
【図６】
0003552148.tif 000007
【図７】
0003552148.tif 000008
【図８】
0003552148.tif 000009
【図９】
0003552148.tif 000010
【図１０】
0003552148.tif 000011
【図１１】
0003552148.tif 000012
【図１２】
0003552148.tif 000013
【図１３】
0003552148.tif 000014